(57)【特許請求の範囲】
【請求項１】
標準時刻電波の受信動作を定期的に実行する受信制御部を備え、標準時刻電波の受信成功時に標準時刻電波の時刻データに基づいて現在時刻を自動較正する電波時計を内蔵したタイムレコーダであって、
較正時刻を逐次記憶する手段と、或る期間内の較正回数と基準回数とを比較して、或る期間内の較正回数が基準回数以下の場合は警告表示を行う警告表示手段を設けたタイムレコーダ。
【請求項２】
指定した日時または時間帯の較正時刻データを表示及び印字する履歴情報出力手段を備えた請求項１記載のタイムレコーダ。
【発明の詳細な説明】
【０００１】
【発明の属する技術分野】
この発明は、タイムレコーダに関するものであり、特に、時計の誤差が自動的に修正されるようにしたタイムレコーダに関するものである。
【０００２】
【発明が解決しようとする課題】
従来の電子式タイムレコーダは、内蔵する時計の時刻表示にある程度の誤差が生じることは避けられないので、日常的に時計の誤差の確認及び修正を実行する必要があるが、タイムレコーダの時計に所謂電波時計と同じく、定期的に標準時刻電波を受信して自動的に時刻を修正する機能を設ければ時計管理の手間を軽減できることになる。
【０００３】
しかし、長波標準時刻電波は送信出力が小さいので、電波状態が悪い場所に設置した場合は受信成功の確率が低く、又一般に昼間は夜間に比べて受信が難しいという問題がある。通常、電波時計には受信成功時に受信成功マークを表示する機能が備えられているが、いつ時刻較正が実行されたかを確認することができず、受信成功率も不明であるので、設置場所が電波受信に適当か否かを判断しにくいという不都合がある。
【０００４】
そこで、タイムレコーダに電波時計を搭載するとともに、標準時刻電波の受信成功及び時刻較正の履歴を確認できるようにして実用性を向上するために解決すべき技術的課題が生じてくるのであり、本発明は上記課題を解決することを目的とする。
【０００５】
【課題を解決するための手段】
この発明は、上記目的を達成するために提案するものであり、標準時刻電波の受信動作を定期的に実行する受信制御部を備え、標準時刻電波の受信成功時に標準時刻電波の時刻データに基づいて現在時刻を自動較正する電波時計を内蔵したタイムレコーダであって、較正時刻を逐次記憶する手段と、或る期間内の較正回数と基準回数とを比較して、或る期間内の較正回数が基準回数以下の場合は警告表示を行う警告表示手段を設けたタイムレコーダを提供するものである。
【０００６】
また、指定した日時または時間帯の較正時刻データを表示及び印字する履歴情報出力手段を備えた上記タイムレコーダを提供するものである。
【０００７】
【発明の実施の形態】
以下、この発明の実施の一形態を図に従って詳述する。図1はタイムレコーダのブロック図であり、電波時計1はクロック部2と受信制御部3とからなり、4はI/O、5はCPU、6はROM、7はRAMである。
【０００８】
CPU5は、I/O4を通じて電波時計1のクロック部2の時刻データを逐次読取り、時刻表示部8を駆動して時刻を表示する。タイムレコーダのカード挿入口へタイムカードが挿入されると、CPU5はカード送り機構9を駆動してタイムカードを引き込み、タイムカードの個人ID番号を読取るとともに、現在の日付に該当するタイムカードの日付欄がプリンタヘッド10の位置と一致するまでタイムカードを送り、出勤時刻欄または退勤時刻欄に現在時刻を印字する。
【０００９】
印字した時刻データは、RAM7の個人別データテーブルに書き込まれて保存され、管理者は勤務時間集計データを随時読出したりプリントアウトしたりすることができることは従来のタイムレコーダと同様である。
【００１０】
電波時計1は受信制御部3による標準時刻電波(JJY)の受信機能とクロック部2の修正機能を備えていて、セットボタン11により日付時刻表示モードと日付時刻修正モードと受信時間設定モードの切替えが行え、アジャストボタン12により現在時刻や受信時刻の設定を行う。
【００１１】
ROM6には、1時間毎に標準時刻電波の受信動作を実行させる定期受信スケジュールプログラムと、任意設定された時刻に受信を実行するプログラムが格納されており、CPU5が定期受信スケジュールプログラムまたは任意受信実行プログラムに基づいて電波時計１を制御する。
【００１２】
また、ROM6には、標準時刻電波の受信に成功して時刻を較正したときにその時刻を較正時刻データとしてRAM7に書き込む制御プログラムが格納されている。
【００１３】
図2はタイムレコーダの時計制御の流れを示し、タイムレコーダの電源コードをACコンセントに接続するとタイムレコーダに通電され、CPU5が電波時計1のクロック部2から時刻データを読み込む。
【００１４】
受信時刻が手動設定されていない場合は、定期受信スケジュールにしたがって定時（１時間に一回）に受信モードに入って標準時刻電波の受信を試行し（ステップ1→2→4）、このとき、受信に失敗した場合は次の定期受信時刻に再度受信動作を実行する（ステップ5→1）。また、受信に成功したときは、クロック部2の時刻を較正するとともに較正時刻をRAM7に書き込み（ステップ6）、ステップ1に戻る。
【００１５】
受信時刻が手動設定されている場合は、手動設定されている時刻に受信モードに入り（ステップ1→3→4）、標準時刻電波の受信を試行する。従って、受信時刻を深夜や早朝等に手動設定しておけば、勤務時間内に受信制御部3が受信動作に入ることはなく、勤務時間内に時刻が修正されないので、実際の勤務時間とタイムレコーダ上の勤務時間データとに差が生じることはない。
【００１６】
ROM6の制御プログラムは、RAM7に蓄積されている較正時刻データから一定時間内の時刻較正回数を求め、予め設定してある基準回数と較正回数を比較して、較正回数が基準回数に達していない場合は、表示板またはLEDの点灯や点滅等によって警告表示を行うように構成されていて、その設置場所における受信成功確率が低い場合は、設置場所をよりよい電波状態の場所に変更するように警告する。
【００１７】
また、RAM7に書き込まれて蓄積されている較正時刻データは、特定のキー操作或いはスイッチ操作により時刻表示部8に表示させることができ、カードに印字することもできる。較正時刻データの出力形態としては、すべての較正時刻データを出力する詳細履歴モードと、指定した日付または時間帯(例えば過去一週間等)の較正時刻データを出力する時間指定履歴モードとがある。
【００１８】
これにより、管理者は較正履歴からその設置場所における受信成功の確率を判断することができ、受信成功回数が極端に少ない場合は設置場所をよりよい電波状態の場所に変更するように示唆される。
【００１９】
以上、本発明のタイムレコーダを説明したが、この発明は上記の実施形態に限定するものではなく、この発明の技術的範囲内において種々の改変が可能であり、この発明がそれらの改変されたものに及ぶことは当然である。
【００２０】
【発明の効果】
以上説明したように、本発明のタイムレコーダは電波時計を内蔵し、標準時刻電波に基づいて時計の時刻を自動較正するとともに、一定時間内の時刻較正回数が予め設定されている基準回数に達していない場合は警告表示を行うので、警告表示の有無により現在の設置場所が電波受信に適当な場所か否かを判断でき、電波時計の性能を発揮させることができて時計管理の手間が軽減される。
また、指定した日時または時間帯の較正時刻データを表示または印字できる履歴情報出力手段を付加した構成においては、詳細な較正履歴情報を随時確認できてさらに便利である。
【図面の簡単な説明】
【図１】本発明のタイムレコーダのブロック図。
【図２】タイムレコーダの自動時刻較正動作のフローチャート。
【符号の説明】
1      電波時計
2      クロック部
3      受信制御部
5      CPU
6      ROM
7      RAM
【図１】
0003823702.tif 000002
【図２】
0003823702.tif 000003